(57)【要約】 【課題】曲面や狭くて角度のある部分も確実に清掃できる使い勝手の良い清掃ブラシを提供する。【解決手段】表面に洗浄部材２を設けた多数の硬質基台１を薄肉のブリッジ部３にて各々屈曲自在に連結して成るブラシ部１０と、このブラシ部１０を保持する柄部２０とで構成した。これにより、上記洗浄部材２で形成されるブラシ面１０ａの屈曲が自在となり、複雑な曲面の清掃が円滑に行えるようになる。【選択図】図４
2007014746.tif 000002
【特許請求の範囲】
【請求項１】
表面に洗浄部材を設けた多数の基台を薄肉のブリッジ部にて各々屈曲自在に連結して成るブラシ部と、このブラシ部を保持する柄部とで構成されることを特徴とする清掃ブラシ。
【請求項２】
隣接基台の頭部同士が当接して頭部側への屈曲を一定角度以下に規制し得る間隔にて、各々基台が連結されて成ることを特徴とする請求項１に記載の清掃ブラシ。
【請求項３】
前記基台と前記ブリッジ部とが一体形成されていることを特徴とする請求項１または請求項２の何れかに記載の清掃ブラシ。
【請求項４】
前記基台は、前記ブリッジ部により頭部寄りの位置で連結されていることを特徴とする請求項１から請求項３までの何れかに記載の清掃ブラシ。
【請求項５】
隣接基台において相対向する連結面の少なくとも一方の面の、前記ブリッジ部よりブラシ面寄りの部位に、対向連結面に当接してブラシ面側への屈曲を規制する突状部を設けたことを特徴とする請求項１から請求項４までの何れかに記載の清掃ブラシ。
【請求項６】
少なくとも、前記ブリッジ部内を前記基台の連結方向に貫通するように埋設された弾性板材で成る補強部材を備えることを特徴とする請求項１から請求項５までの何れかに記載の清掃ブラシ。
【請求項７】
前記洗浄部材が毛体、またはスポンジ、または不織布であることを特徴とする請求項１から請求項６までの何れかに記載の清掃ブラシ。
【発明の詳細な説明】
【技術分野】
【０００１】
本発明は、清掃ブラシに関し、特に、曲面や狭い箇所の清掃に使用して好適な清掃ブラシに関するものである。
【背景技術】
【０００２】
従来、便器等の清掃ブラシとして、長柄の先端に固着した硬質基台にスポンジやブラシ毛等の洗浄部材を設けた構造が知られている（特許文献１参照）。
【０００３】
しかしながら、これらの清掃ブラシは柔軟性に欠けるため、便器内の扁平部に付着した汚れを清掃する場合は良いが、図７（ａ）のように、清掃ブラシ３０の清掃面３０ａを便器４０内の複雑な曲面に添わせて（この場合、作業者は清掃する曲面に合わせ、その都度ブラシを持つ角度を変える必要がある）清掃するのは難しかった。特に、図７（ｂ）のように、便器４０の排水口に近い底部４０ａ等、狭くて角度のある部分を清掃する場合は、狭い部分が邪魔して柄の角度を極端に変えられないため、狭い奥側の汚れまで確実に掻き落とすことは困難であった。
よって、上記構造の清掃ブラシ３０で便器内等、曲面の多い清掃対象に付着した汚れを隅々まで取り除くには多くの時間と労力を要し、極めて面倒な作業であった。
また、図示しないが、風呂洗い等に用いる柄の付け根が揺動する清掃ブラシでは力を掛けると柄が曲がり過ぎて柄のポイントが定まらないため、力を入れて擦り洗いし難いことから、やはり曲面の清掃には不向きであった。
【特許文献１】特開平８−１４０８９２号公報
【発明の開示】
【発明が解決しようとする課題】
【０００４】
本発明は、上記問題に鑑み成されたもので、曲面や狭くて角度のある部分も確実に清掃できる使い勝手の良い清掃ブラシを提供することを目的としている。
【課題を解決するための手段】
【０００５】
すなわち、請求項１に記載の発明は、表面に洗浄部材を設けた多数の基台を薄肉のブリッジ部にて各々屈曲自在に連結して成るブラシ部と、このブラシ部を保持する柄部とで構成されることを特徴としている。
【０００６】
また、請求項２に記載の発明は、請求項１に記載の清掃ブラシにおいて、隣接基台の頭部同士が当接して頭部側への屈曲を一定角度以下に規制し得る間隔にて、各々基台が連結されて成ることを特徴としている。
【０００７】
また、請求項３に記載の発明は、請求項１または請求項２の何れかに記載の清掃ブラシにおいて、前記基台と前記ブリッジ部とが一体形成されていることを特徴としている。
【０００８】
また、請求項４に記載の発明は、請求項１から請求項３までの何れかに記載の清掃ブラシにおいて、前記基台は、前記ブリッジ部により頭部寄りの位置で連結されていることを特徴としている。
【０００９】
また、請求項５に記載の発明は、請求項１から請求項４までの何れかに記載の清掃ブラシにおいて、隣接基台において相対向する連結面の少なくとも一方の面の、前記ブリッジ部よりブラシ面寄りの部位に、対向連結面に当接してブラシ面側への屈曲を規制する突状部を設けたことを特徴としている。
【００１０】
また、請求項６に記載の発明は、請求項１から請求項５までの何れかに記載の清掃ブラシにおいて、少なくとも、前記ブリッジ部内を前記基台の連結方向に貫通するように埋設された弾性板材で成る補強部材を備えることを特徴としている。
【００１１】
また、請求項７に記載の発明は、請求項１から請求項６までの何れかに記載の清掃ブラシにおいて、前記洗浄部材が毛体、またはスポンジ、または不織布であることを特徴としている。
【発明の効果】
【００１２】
本発明によれば、表面に洗浄部材を備えた多数の基台を薄肉のブリッジ部にて各々屈曲自在に連結して構成したので、この洗浄部材により形成されるブラシ面の屈曲が自在となり、様々な曲面や、狭くて角度のある部分の清掃が円滑に行えるようになる。加えて、ブラシ面の屈曲は各基台の頭部の角部同士が当接することにより、常に一定角度以下に規制されるため、清掃箇所を力を入れてしっかり擦り洗いできる。
また、ブリッジ部により各々基台を頭部寄りの位置で相互に連結したので、ブラシ面の反りを大きくすることができ、大きな湾曲面であってもブラシ面を添わせることができ、確実に清掃することができる。
また、突状部によりブラシ面の内側への反りが規制されるため、ブラシ面を下向きにした状態でブラシ先端の上面で便器の縁裏等を力を入れて擦り洗いすることができる。
また、ブリッジ部内に補強部材を埋設することにより、ブラシ面を屈曲した時のブリッジ部の耐久性を向上することができる。
【発明を実施するための最良の形態】
【００１３】
以下、図面に基づいて本発明に係る清掃ブラシの実施形態を説明する。
【００１４】
図１、図２に示すように、本実施形態の清掃ブラシは、長柄２０と、この長柄２０の先端部に固着・保持されたブラシ部１０とで構成される。
【００１５】
上記ブラシ部１０は、頭部１ａを除く各面（背面および両側面）に束状のブラシ毛２が満遍なく植設された基台１を薄肉のブリッジ部３にて、各々平行に、且つ、屈曲自在に多数連結して成るものである。
この基台１は、硬質プラスチック製の四角体で成り、図２に示すように、ブリッジ部３が一体形成されている。ブリッジ部３は、基台１の厚さに比べて極めて薄く形成されており、且つ、このブリッジ部３が、各基台１を頭部１ａ寄りの位置で連結するように形成されている。尚、ブラシ部１０の先端側の基台１は先端を幾分上方に突き出す形状としてブラシ面１０ａの先端を円状にしている。
【００１６】
また、各々隣接する基台１の対向面１ｂ（連結面１ｂ）であって、ブリッジ部３よりブラシ面１０ａ寄りの幅方向ほぼ中央に突状部５が形成されている。この突状部５は、ブラシを屈曲させない通常の状態において、その先端部が対向面１ｂにほぼ接触するようになっている。
尚、本実施形態では、この突状部５を対向連結面１ｂ、１ｂの一方の側の面にのみ設けたが、それぞれが当接しないように位置を違えて双方の連結面１ｂ、１ｂに設けても良く、また、連結面１ｂのブリッジ部３よりブラシ面１０ａ寄りのほぼ全体を肉厚にしても良い。
【００１７】
上記構成では、長柄２０を握ってブラシ部１０を押し付けるとブリッジ部３の弾性により、図３、図４に示すように、ブラシ部１０が自在に屈曲し、押しつけ力に応じてブラシ面１０ａが任意に湾曲する。
【００１８】
従って、図６（ａ）に示すように、長柄２０を清掃し易い角度に把持した状態で、便器４内の様々な曲面にブラシ面１０ａを添わせて円滑に清掃することができる。上述したように、ブラシ面１０ａの先端を円状にしてあるから、清掃をより円滑にしている。また、ブラシ部１０を屈曲させていくと各基台１の頭部１ａ同士が角部において当接し、ブラシ面１０ａは常に一定角度以下に規制されるため、清掃の際に力を入れてしっかり擦り洗いができる。
加えて、上述のように、ブリッジ部３を基台１の頭部１ａ寄りの位置に形成することで、ブラシ面１０ａの反りを大きくすることができ、便器内の大きな湾曲面にもブラシ面１０ａを確実に添わせることができる。例えば、図６（ｂ）に示すように、便器４の排水口に近い底部４ａの狭くて大きく湾曲した部分も奥側まで確実に清掃することができる。
また、便器の縁裏等は、ブラシ面１０ａを下向きにした状態でブラシ先端の上面を使用して擦り洗いするが、その際の屈曲で上述した突状部５が連結面１ｂに当接し、屈曲を規制するため、それ以上ブラシ面１０ａが内側へ反ることはなく、よって、力を入れてしっかり清掃することができる。
【００１９】
以上、本実施形態では、ブラシ部１０の洗浄部材としてブラシ毛を用いたが、この他、スポンジや不織布等を用いても良い。
【００２０】
また、別の実施形態として、図５（ａ）、（ｂ）に示すように、薄肉で成る各ブリッジ部３を補強部材８にて補強する構造とすることもできる。
この補強部材８は、各ブリッジ部内を貫通するように、例えば、インサート成形によりブラシ部１０内に埋設された、細長い弾性板材で構成されており、且つ、補強部材８の固着性を向上するため、その両端側に台形状の立ち上げ部８ａを設けている。尚、この補強部材８として、剛性、曲げ強度等に優れる合成樹脂板（例えば、ポリプロピレン製の薄板）、或いは薄い弾性金属板等を用いることができる。
このように、ブラシ部１０に補強部材８を埋設してブリッジ部３を補強することにより、ブラシ部１０の屈曲動作によるブリッジ部３の折れを防止でき、ブラシ部１０の耐久性を大いに向上することができる。
【００２１】
また、本実施形態では、便器の清掃について説明したが、本発明の清掃ブラシは、このような便器の清掃の他、洗面台、流し台、風呂場等の清掃に用いることにより、清掃対象のあらゆる部分を円滑に清掃することができる。
【図面の簡単な説明】
【００２２】
【図１】本発明の清掃ブラシを示し、（ａ）は平面図、（ｂ）は背面図。
【図２】図１のＡ−Ａ断面図。
【図３】同、清掃ブラシのブラシ部を屈曲させた状態を示す側面図。
【図４】同、清掃ブラシのブラシ部を屈曲させた状態を示す要部斜視図。
【図５】同、図１とは別の清掃ブラシを示し、（ａ）は平面図、（ｂ）は側面図。
【図６】同、清掃ブラシの使用状態を示す説明図。
【図７】従来の清掃ブラシの使用状態を示す説明図。
【符号の説明】
【００２３】
１  基台
２  洗浄部材（ブラシ毛、スポンジ、不織布）
３  ブリッジ部
８  補強部材
１０  ブラシ部
２０  柄部（長柄）
【図１】
2007014746.tif 000003
【図２】
2007014746.tif 000004
【図３】
2007014746.tif 000005
【図４】
2007014746.tif 000006
【図５】
2007014746.tif 000007
【図６】
2007014746.tif 000008
【図７】
2007014746.tif 000009